(57)【要約】【課題】簡単な構造で、高い改ざん防止効果を有する包装用箱を提供する。【解決手段】紙やプラスチックの一枚のブランクシートから一体的に打ち抜かれた箱体形成片１２には、複数枚の側面１４，１６，１８，２０と、一側面１６の両端部に形成された蓋片４０，４２と、蓋片４０，４２の側面１６と反対側に隣接する差込片４４，４６を区切る破断線５２，折罫線５４にはロック片４８、５０が設けられ、破断線５２は切り込みが一カ所以上設けられている。一側面１８の両端部に形成されたフラップ８４，８６には突起８８，９０が設けられ、側面１４，１８の両端部に形成されたフラップ８０，８２，８４，８６と側面１４，１８を区切る折罫線は切り込みが一カ所以上ある破断線が設けられている。一側面２０の両端部に形成された折込み部６０，６２には透孔６４，６６が設けられている。【選択図】      図１
2004269031.tif 000002
【特許請求の範囲】
【請求項１】
一枚のブランクシートから一体的に打ち抜かれた箱体形成片からなり、この箱体形成片には複数枚の側面と、一側面の両端部に形成された蓋片と、その蓋片に連接した差込片の間にある折罫線付近にロック片が設けられ、蓋片が形成されている側面と隣接した側面の両端部には２対のフラップが設けられ、その少なくとも一対のフラップには、上記ロック片に差し込まれる突起が設けられていることを特徴とする包装用箱。
【請求項２】
上記箱体形成片の、蓋片が形成されている側面と隣接せず対向する側面の両端部には、側面との間にある折罫線に添って形成された透孔が設けられた折込み片が設けられていることを特徴とする包装用箱。
【請求項３】
上記ロック片が設けられた折罫線には、切り込みが１カ所以上設けた破断線となっており、また上記フラップと隣接する側面との間にある折罫線は、切り込みが１カ所以上設けられて破断線になっていることを特徴とする包装用箱。
【発明の詳細な説明】
【０００１】
【発明の属する技術分野】
この発明は、商品を個別に収容される包装用箱であって、改ざん防止機能を有する包装用箱に関する。
【０００２】
【従来の技術】
従来、商品を収容して搬送され、そのまま店頭に陳列する包装用箱があり、このような包装用箱は、一枚のブランクシートから一体的に打ち抜かれた箱体形成片を組み立てたものである。この箱体形成片は、平行に連接された４つの側面と、この一側面の両端部に形成された蓋片と、組立状態でこの側面に隣接せず対向する側面の両端部に形成された切り込み片と、上記２つの側面に隣接する側面の両端部には２対のフラップが設けられている。そして外側に位置する一側面の側縁部には糊付片が設けられている。
【０００３】
この包装用箱の組立方法は、糊付片を反対側の側面裏面に糊付けし、各側面が９０度になるように折り曲げて四角い箱体に組み立てる。そして箱体の一端部の、一対のフラップを側面に対して９０度に折り曲げ、蓋片とそれに連接した差込片を折り曲げ、蓋片が形成されている側面と対向する側面の内側に、差込片を挿入し閉鎖する。また、差込片に糊付し同様に封鎖する場合もある。そして商品を収容後、箱体の他端部も同様に閉鎖する。
【０００４】
【発明が解決しようとする課題】
上記従来の技術の場合、差込片は側面の内側に挿入されているだけなので、容易に蓋を開けることができる。差込片が糊付されていても、丁寧に内面から剥がすことが出来る。内部の商品を改ざんし再び蓋をするか、差込片に綺麗に糊付すれば、開封した形跡が残らず、改ざんの事実を見つけることは難しいものであった。
【０００５】
この発明は上記従来の問題点に鑑みてなされたものであり、簡単な構造で高い改ざん防止効果を有する包装用箱を提供することを目的とする。
【０００６】
【課題を解決するための手段】
この発明は、一枚のブランクシートから一体的に打ち抜かれた箱体形成片からなり、この箱体形成片には複数枚の側面と、一側面の両端部に形成された蓋片と、その蓋片に連接した差込片の間にある折罫線付近にロック片が設けられ、また蓋片が形成されている側面と隣接した側面の両端部には２対のフラップが設けられ、その少なくとも一対のフラップには、上記ロック片に差し込まれる突起が設けられている。
【０００７】
またこの発明は、蓋片が形成されている側面と隣接せず対向する側面の両端部には、側面との間にある折罫線に添って形成された透孔が設けられた折込み片が設けられている。
【０００８】
またこの発明は、上記ロック片が設けられた折罫線には、切り込みが１カ所以上設けられ、また上記フラップと隣接する側面との間にある折罫線は、切り込みが１カ所以上設けられた破断線となっている包装用箱である。
【０００９】
この発明の包装用箱は、フラップを折り曲げ、差込片を側面内部に挿入すると、差込片に設けられたロック片にフラップの突起が差し込まれる。
【００１０】
また、折込み部を設けた包装用箱においては、折込み部に形成された透孔とフラップの突起の間に、差込片を挿入すると、ロック片がフラップの突起によって押し出され、折込み部に形成された透孔に、ロック片とフラップの突起が同時に挿入される。
【００１１】
差込片を引き出し、蓋片を開けようとすると、上記ロック片にフラップの突起が引っかかるか、またはその両方が折込み部に形成された透孔に引っかかり、蓋片が開けられなくなる。また、蓋片と差込片との間にある折罫線の両端部には、差込片寄りに略平行に切り込みが形成されている。フラップの蓋片と反対側の一辺には係部が形成され、係部が上記切り込みに引っかかることにより、蓋片が開けられなくなる。
【００１２】
また、ムリに蓋片を開けようとすると、ロック片が設けられた折罫線と、突起が設けられたフラップと隣接する側面との間の折罫線にはそれぞれ、切り込みが１カ所以上設けられているため、その部分が容易に破断し、開封されたことが分かるものである。
【００１３】
【発明の実施の形態】
以下、この発明の実施形態について図面に基づいて説明する。図１はこの発明の一実施形態の包装用箱１０について示したもので、包装用箱１０は、図１に示すように、箱体形成片１２が厚紙製等の一枚のブランクシートを打ち抜いて形成されている。
【００１４】
この箱体形成片１２は、側面１４，１６，１８，２０が一体に連接して形成されている。さらに組立状態で側面１４の内側に糊付される糊付片２２が、側面２０の側方に連接して形成されている。側面１４，１６，１８，２０、糊付片２２は、各々折罫線２４，２６，２８，３０で区切られている。
【００１５】
側面１６の端部には蓋片４０が連接され、蓋片４０には切り刃により形成された破断線５２を介して、差込片４４が設けられている。蓋片４０は、折罫線５６で側面１６の端部と区切られている。差込片４４には破断線５２に沿って、略長方形のロック片４８が設けられている。ロック片４８は切り刃によって形成され、ロック片長辺の一辺に切り残しが設けられている。この切り残しが形成されている長辺のもう一方の長辺は、破断線５２とほぼ同一線上にある。また破断線５２の両端には、差込片４４寄りに、破断線５２と略平行に、切り込み４１、４３が形成されている。
【００１６】
側面１６の他端部には蓋片４２が連接され、蓋片４２には折罫線５４を介して、差込片４６が設けられている。蓋片４２は、折罫線５８で側面１６の端部と区切られている。差込片４６には折罫線５４に沿って、略長方形のロック片５０が設けられている。ロック片５０は切り刃によって形成され、長辺の一辺に切り残しが設けられている。この切り残しが形成されている長辺のもう一方の長辺は、折罫線５４とほぼ同一線上にある。また折罫線５４の両端には、差込片４６寄りに、折罫線５４と略平行に、切り込み４５、４７が形成されている。
【００１７】
側面１４の一端部にはフラップ８０が連接され、フラップ８０は、折罫線９２で側面１４と区切られている。フラップ８０の蓋片４０と逆側の一辺には係部８１が形成されている。側面１４の他端部にはフラップ８０と同型のフラップ８２が、破断線９４で区別されて設けられている。破断線９４は破断線の一部が折罫線になっていることもある。フラップ８２の蓋片４２と反対側にある一辺には係部８３が形成されている。
【００１８】
側面１８の一端部にはフラップ８４が連接され、フラップ８４は、折罫線９６で側面１８と区切られている。フラップ８４の折罫線２８の延長線上にあたる一辺は、凹の字型をしており、突起８８が形成されている。また、その折罫線９６寄りに係部８５が形成されている。
【００１９】
側面１８の他端部にはフラップ８６が、破断線９８で区別されて設けられている。フラップ８６の折罫線２８の延長線上にあたる一辺は、凹の字型をしており、突起９０が形成されている。また、その破断線９８寄りに係部８７が形成されている。破断線９８は破断線の一部が折罫線になっていることもある。
【００２０】
側面２０の一端部には折込み部６０が連接され、折込み部６０は、折罫線６８で側面２０と区切られている。折込み部６０には折罫線６８に沿って透孔６４が設けられている。
【００２１】
側面２０の他端部には折込み部６２が、折罫線７０で区別され設けられている。折込み部６２には折罫線７０に沿って透孔６６が設けられている。上記折込み部のない包装用箱の一実施形態を図４に示す
【００２２】
次にこの実施形態の包装用箱１０の組立方法について図面に基づいて説明する。なお、ここでは図１がこの箱体形成片１２の表側を見たものであり、図１において紙面表側が凸になる折り方を正折りと称する。まず、折込み部が設けられている包装用箱の場合、折込み部６０、６２の裏面に糊３２を塗布し、折罫線６８、７０を正折りして側面２０の裏面と糊付する。
【００２３】
折罫線２８を正折りし、糊付片２２の表面に糊３２を塗布する。そして折罫線２４を正折りし、側面１４の裏面を糊付片２２の表面に糊付する。
【００２４】
次に、折罫線２４，２６，２８，３０を各々９０度になるように正折りして、四角形の箱体にする。フラップ８６を破断線９８で９０度に正折りし、続いてフラップ８２を破断線９４で９０度に正折りする。蓋片４２を折罫線５８で、差込片４６を折罫線５４でそれぞれ正折りし、差込片４６を側面２０の内側に挿入する。この時突起９０がロック片５０に差し込まれる。
【００２５】
折込み部が設けられている場合は、差込片４６を折込み部６２の内側に挿入する。この時、突起９０によってロック片５０を箱体内側から押し出し、折込み部６２に設けられた透孔６６に、突起９０とロック片５０が同時に挿入される。
【００２６】
次に、医薬品等の商品を、閉鎖していない箱体の端部から箱体内部に挿入する。その後、フラップ８４を折罫線９６で９０度に正折りし。続いてフラップ８０を折罫線９２で９０度に正折りする。蓋片４０を折罫線５６で、差込片４４を破断線５２でそれぞれ正折りし、側面２０の内側に挿入する。この時突起８８がロック片４８に差し込まれる。また、折込み部が設けられている場合は、差込片４４を折込み部６０の内側に挿入する。この時、突起８８によってロック片４８を箱体内側から押し出し、折込み部６０に設けられた透孔６４に、突起８８とロック片４８が同時に挿入される。
【００２７】
次に、この包装用箱１０を開封する場合について説明する。中に収容している商品を取り出す時は、蓋片４０をロック片４８に爪を引っかけて開封するか、蓋片４０の、折罫線５６と垂直に位置する両端部に指を引っかけて、蓋片４０を開封する。この時、突起８８にロック片４８が差し込まれているか、突起８８とロック片４８が透孔６４に挿入されているため、蓋片４０を開けることができない。さらに、係部８１，８５が切り込み４１、４３にそれぞれ引っかかるため、蓋片４０を開けることができない。無理に開けようとすると破断線５２から破断するため、蓋片４０が開けられたことが容易にわかる。
【００２８】
また、蓋片４２についても同様で、突起９０がロック片５０に差し込まれているか、また突起９０とロック片５０が透孔６６に挿入されているため、蓋片４２を開けることができない。さらに、係部８３、８７が切り込み４５、４７にそれぞれ引っかかるため、蓋片４２を開けることができない。無理に開けようとすると、フラップ８２，８６に隣接する破断線９４，９８が破断するため、蓋片４２が開けられたことが容易にわかる。
【００２９】
なお、この実施形態において図３に示すロック片４９の様に、台形型をしていても良い。この時、蓋片を開けようとする時、ロック片４９が台形型をしていることにより、透孔６５に引っかかりやすく、より蓋片を開けにしにくくしている。
【００３０】
また、差込片に隣接する破断線とフラップに隣接する破断線は、どちらか一方であっても、両方に使用してもよい。
【００３１】
なお、この発明の包装用箱は、上記実施の形態に限定されるものではなく、素材や各部材の形状等適宜変更可能である。また、破断線の形状や位置や本数等も自由に変更可能である。
【００３２】
【発明の効果】
この発明は簡単な構造で組立作業も簡単で、確実に改ざん防止効果を有するものである。これにより、異物の混入や商品へのいたずらを防止することができる。特に、蓋片を無理に開封しようとする場合、差込片やフラップに隣接する破断線が破断し、開封の跡が確実にわかる。
【図面の簡単な説明】
【図１】この発明の一実施形態の包装用箱の箱体形成片の展開図である。
【図２】この実施形態の包装用箱の斜視図である。
【図３】この実施形態の包装用箱の変形例の展開図である。
【図４】この実施形態の包装用箱の変形例の展開図である。
【符号の説明】
１０  包装用箱
１２  箱体形成片
１４、１６、１８、２０  側面
２４、２６，２８，３０，５６，５８，６８，７０，９２，９６  折罫線
２２  糊付片
３２  糊
４０，４２  蓋片
４４，４６  差込片
４８，４９，５０、５３  ロック片
５２，９４，９８  破断線
６０，６２  折込み部
８０，８２，８４，８６  フラップ
８８，８９，９０  突起
６４，６５、６６  透孔
１１，１３，４１，４３，４５，４７  切り込み
８１，８３，８５，８７  係部
【図１】
2004269031.tif 000003
【図２】
2004269031.tif 000004
【図３】
2004269031.tif 000005
【図４】
2004269031.tif 000006